(57)【特許請求の範囲】
【請求項１】
歯科用具及び該歯科用具とともに使用するコントラアングルからなり、前記歯科用具（１）は機能部品（２）を備え、該機能部品（２）の反対端にハンドル（３）を備え、前記コントラアングルは、前記歯科用具（１）のための前記ハンドル（３）のハウジングを形成する開口（７）を備えたヘッド（５）を備え、前記ハンドル（３）に前記ヘッド（５）を配設することにより前記歯科用具（１）が装着されるように前記ヘッド（５）が形成されている歯科用動力装置において、
ハンドピースヘッド（５）にマウントされた時に、前記ハンドル（３）が前記ヘッドの上側に位置する回転式の駆動手段と直接噛み合うことができる回転式の駆動手段（４）を備え、
該駆動手段（４）は、前記ヘッドの前記駆動手段と同方向に回転し、かつ前記ヘッドの前記駆動手段と無関係に格納でき、前記ハンドルに配置された前記駆動手段（４）が、前記コントラアングルの本体（６）内部に位置した駆動ピニオンと前記ヘッドの近くで噛み合うことができるピニオンであり、かつ前記コントラアングルの上流に位置する機械的な部材の回転を前記歯科用具の回転へと伝導する軸にマウントされ、
前記ハンドルに配置した前記ピニオンと前記ヘッド中のピニオンの形状は、前記歯科用具が前記ヘッドに配置された場合、前記２つのピニオンが噛み合い、これら２つのピニオンの間の接触点は駆動側となるピニオンの底部に生じ、
前記コントラアングルは、施術者によって操作される前記ハンドルの軸の保持手段（８）を含み、
該保持手段（８）は、前記開口（７）を横切って突出する部分（８ａ）を有し、該突出部分（８ａ）は、復元スプリング（１０）の動作に抗して移動可能なリング（９）に接続し、ヘッド（５）の本体（６）の外周に同心的に搭載され、
前記突出部分（８ａ）が、前記ハンドル（３）上の結合形状部と係合するための格納傾斜部（１２）をさらに含み、前記ハンドルが前記ヘッドに挿入されるときに、該結合形状部が前記保持手段を引っ込めさせる
ことを特徴とする歯科用動力装置。
【請求項２】
請求項１の歯科用動力装置において、前記突出部分（８ａ）が、前記歯科用具（１）に形成されたショルダー部（２５）と完全に適合する形状の蹄鉄形状部を含むことを特徴とする歯科用動力装置。
【発明の詳細な説明】
【技術分野】
【０００１】
本発明は、歯内治療用具やコントラアングルの駆動装置のようなハンドピースを着脱可能な歯科用動力装置の改良に関する。
【背景技術】
【０００２】
歯科用動力装置は、用具のうちその機能を発揮する構成部品（以下では機能部品という）の反対側の端部に通常は設けられ、ハンドルを備え、ハンドピースのヘッドの内に位置する回転ガイドや把持装置と係合するように設計されている。前記ハンドルはまた、回転式の駆動装置の結合形状部に係合するための平面部を有し、この平面部を、回転式の駆動装置にハンドルを接続するコントラアングルのヘッド内に備えている。
【０００３】
そのような用具ハンドル把持装置では、通常は、ユーザによって制御可能な押しボタンギロチン手段のような制御手段を備えている。用具のハンドルも、溝に入れるントラアングルの回転部分の装置によって、コントラアングルのヘッド内で軸方向に動かないようにされている。
【０００４】
コントラアングルのヘッドに用具ハンドルを固定するためのそのようなシステムは、多くの機械的な部分を必要とする。これは製造コストが高くつくことを意味する。
【０００５】
別の問題は、歯科用具を内部へマウントするかコントラアングルのヘッドからそれを取り除くために、施術者はその機能部品によって用具保持しなければならないことである。これは、例えば、用具の機能部品の汚染および突き刺すことによる施術者への加傷の危険があることを意味する。
【発明の開示】
【発明が解決しようとする課題】
【０００６】
本発明の目的はそのような歯科医療器械の改良を提供することであり、前述の問題のすべてあるいはいくらかを解決しようとするものであり、前述のような用具を受け取るために形成されたハンドピースのヘッドに用具を取り付ける安価な方法を提供することによって、機能部品による用具の汚染および施術者への加傷の危険を減らそうとするものである。
【課題を解決するための手段】
【０００７】
このため、本発明は歯科用動力装置に関し、特に歯内治療用具であって、機能部品を備え、該機能部品の反対側の端部に、ハンドルを備えるものにおいて、歯科用具の前記ハンドルに対して直接噛み合うことができる回転式の駆動手段が設けられ、ハンドピースのヘッドにマウントされた時、ハンドピースのヘッドに上流に位置していた回転式の駆動手段で、前記駆動手段が、ハンドピースのヘッドの前記駆動手段と無関係に格納され、前記駆動手段が、ハンドピースのヘッドの駆動手段と同方向に回転する。
【０００８】
本発明の別の特徴では、用具の機能部品に最も近い側で、歯科用動力装置が回転式の駆動手段に近接してショルダー部を有する。そのようなショルダー部で、ディスペンサに置かれた時に用具ハンドルは持ち上げられ、それにより、ハンドピースのヘッド内の用具の係合を促進することができる。
【０００９】
本発明の別の特徴では、ハンドルに設けられた駆動手段がピニオンである。
【００１０】
本発明は、さらに、上述したような歯科用具のハンドピースのヘッドに関し、歯科用具のハンドルのハウジングを形成する穴、および施術者によって操作することができる用具のハンドルの格納式の軸の保持手段を備えることを特徴とする。
【００１１】
本発明の特徴は、ハウジングの開口を通って突出する部分から格納式の保持手段が構成されることである。この突出部分は、復元スプリングの作動に抗して移動できる輪に接続され、ヘッドの主要部の外周に同心にマウントされる。
【００１２】
本発明の別の特徴は、前記突出部分の外面に、歯科用具のハンドル上に結合した結合形状部と係合するように設計された格納傾斜面を含み、ハンドルがハンドピースのヘッドに挿入される場合、ハンドルの結合形状部は保持手段を引っ込ませることである。
【００１３】
さらに本発明の別の特徴は、歯科用具に形成したショルダー部の形に完全に適合するように、突出部分が蹄鉄形状部を含むことである。
【００１４】
本発明の他の実施例では、保持手段はハンドピースのヘッド上に設けられたスプリットスプリングリングである。スプリットスプリングリングの端部は、用具のハンドルのハウジング開口の口部内への休止位置に突出している。さらにこのリングは、ヘッドの頂部に位置する押しボタンの動作で格納式される。
【００１５】
この代替例では、各スプリットリングの端部には、格納傾斜が設けられている。これら格納傾斜は、用具のハンドルの端部と係合するように設計されている。そのため、ヘッドのハウジングを押し戻してアクセスすることを可能としている。
【００１６】
さらに別の有利な特徴は、スプリットリングの端部は、それぞれさらに蹄鉄形状部を含むことである。そのため、歯科用具上に形成されたショルダー部の形状に完全に適合する。
【００１７】
本発明はさらに、上述のような歯科医療器械のディスペンサに関する。このディスペンサは、複数の用具ハウジングを含み、また、用具上に位置するカバーを含む。このカバーの開口は、コントラアングルのヘッドが用具のハンドル上に係合することを可能にする。そして開口を用具上に位置決めするために前記カバーは手動で回し得る。また用具の各位置に関してカバーの開口に印を付ける手段を備える。
【発明を実施するための最良の形態】
【００１８】
上述した本発明の特徴および他の特徴は、図面を参照した実施例となる具体例についての以下の記述によってより明確にされるであろう。
【実施例１】
【００１９】
図１および図２は、２つのタイプの歯科治療用の動力装置１を示す。先行技術でのように、これらの用具の各々は、機能部品２と、機能部品２の反対端のハンドル３とからなる。
【００２０】
本発明によれば、歯科用具１の前記ハンドル３には、ハンドピースのヘッド５にマウントされた時、回転式の駆動手段４はハンドピースのヘッドの上流側に位置する回転式の駆動手段（図３および図４中では図示されていない）と直接に噛み合っている。
【００２１】
このハンドル３に設けた駆動手段４は、好ましくはピニオンであり、例えば直線のカット歯を有し、駆動ピニオン（図示せず。）と係合することができる。駆動ピニオンは、ヘッドの近くにハンドピースの本体６の内部で位置し、コントラアングルの上流側の機械的な部材の回転運動を用具１に回転運動として伝えるための軸にマウントされている。
【００２２】
ハンドルに設けた駆動手段のピニオンの形状及びヘッド内の駆動ピニオンの形状は、コントラアングルのヘッド内へ用具を挿入する以外の操作なしでそれらが噛み合うことを可能にしている。
【００２３】
さらに、これらの２つのピニオン間の接触ポイントが駆動ピニオンの底部に生じ、従動軸の右回転を生み出し、したがって、ハンドルに設けた駆動手段とヘッド内の駆動手段が同一方向へ回転することを可能とする。
【００２４】
このピニオン４は、上乗せ成形によって生産することができる。あるいは用具に組み付けたり、またあるいは用具と一体に成形したりできる。
【００２５】
図３は、上述の歯科用具１に着脱することができるハンドピースのヘッド５を示す。そのため、このヘッド５には穴７が設けてあって用具１のハンドル３のハウジングを構成し、また、用具１のハンドル３の格納式の軸の保持手段８であり、施術者によって操作されるものを備えている。
【００２６】
第１の実施例では、この格納式の保持手段８は、好ましくは、収容するハウジング７の開口を通って突出する部分８ａを有している。ハウジング７は、ハンドル３の用具１の軸にほぼ垂直な表面１３と係合するように概ね蹄鉄形状を有する。
【００２７】
この突出部分８ａは、ヘッドの胴部６の外周縁上に同心にマウントされたリング９と一体である。このリング９は、復元スプリング１０の動作に抗して軸方向に移動させることができる。復元スプリング１０は、ハンドピースの接続カラー１１とヘッドの胴部６の間に収容されている。
【００２８】
この突出部分８ａは、さらにその外表面に、歯科用具１のハンドル３の端部に形成された結合形状部と係合するように設計された格納傾斜１２を含む。係合は、ハンドル３がハンドピースのヘッド５に挿入される場合、ハンドル３の結合形状部により保持手段８が引っ込む。保持手段８の再配置は、駆動手段４がヘッド５に係合するとすぐに、復元スプリング１０により、その休止位置に復帰するものであり、そして、ヘッド５の中で歯科用具１を保持するために、用具１に垂直な面１３と係合する。
【００２９】
歯科用動力装置１の取り付けおよび取り外しは前記の説明から明らかであろうが、以下説明する。
【００３０】
既述のように、ハンドピースのヘッド５に歯科用具１を取り付けるのは、非常に単純な操作であり、用具のハンドル３の頂部上にヘッド５を単に対面させ、用具１のハンドル３上にヘッド５を押し下げる動作を行い、押圧力によって、保持手段８の傾斜１２をハンドル３の結合形状部に係合させ、復元スプリング１０の動作に抗して保持手段８を押し戻す。
【００３１】
用具１の駆動手段４がヘッド５のハウジング７内に完全に係合している場合、ハンドル３の直径を狭くなると、復元スプリング１０が図３で示されるように、保持手段８を拡張することを自動的に可能にする。このように装着された場合、駆動手段を形成するピニオン４は駆動ピニオン（図示されない）と自動的に噛み合う。
【００３２】
歯科用具の取り外しは同様にまったく単純である。施術者は、保持手段８が連結しているリング９をつかみ、復元スプリング１０に抗して引き戻す。すると、ハンドピースのヘッド５のハウジングの開口７が解放される。用具１は、重力によって自動的にハンドピースから離れる。
【００３３】
既述のように、コントラアングルヘッド５中の用具１のこの配置は、従来のコントラアングルのヘッドに含まれていたほとんどすべての部分を不要とし、製造のコストが非常に大幅に低減する。またコントラアングルのヘッドのサイズを縮小させ得る。
【００３４】
このサイズの縮小により、用具を使用する場合にはより良い視界を得られる。ハンドピースのヘッド中の用具の保持手段８の代替例を図４および図５で示す。この保持手段８は、ハンドピースのヘッド５に設けたスプリットスプリングリング２０であり、そのスプリットスプリングリング２０の端部２０ａ、２０ｂは、その休止位置において、用具のハンドルのハウジングの開口７内へ突出する。このリング２０の端部２０ａおよび２０ｂは、ヘッド上に配した押しボタン２２の動作下での弾性変形によって格納される。この押しボタン２２は、ボタンに対する押圧力が用具ハンドルのハウジングへのアクセスを可能にするのと同様でスプリットリング２０に影響する。
【実施例２】
【００３５】
図４および５において示すように、用具のハンドルが挿入される場合に、スプリットリング２０の端部２０ａ、２０ｂが自動的に引き抜かれるように、スプリットリングの端部にはそれぞれ格納傾斜部２３、２４が設けてある。これら格納傾斜部２３、２４は、ハンドル３の端部と係合して押し戻し、ハウジング７へのアクセスを可能とする。
【００３６】
第１実施例と同様に、ハンドル３にマウントされたピニオン４が完全にヘッド５内へ収納されると、スプリットリング２０はそれ自身で自動的に再位置取りする。すると、スプリットリング２０の端部２０ａ、２０ｂはピニオン４の下側１３において休止状態となる。
【００３７】
スプリットリング２０の端部２０ａ、２０ｂは、ピニオン４の真下に生じるショルダー部２５と完全に適合する形状の蹄鉄形状部を含む。このショルダー２５の機能をより詳細に以下に説明する。
【００３８】
用具１は第１実施例とほぼ同様に着脱するが、施術者が押しボタン２２を押圧し、コントラアングルのヘッド５から歯科用具１を解放する点が異なる。
【００３９】
好ましくは、歯科用具１はそれぞれさらに、用具の機能部品２に最も近い側において、噛み合う相手のピニオン４の近くに位置するショルダー部２５（あるいは図１中の２６）を含む。このショルダー部２５は好ましくは、ディスペンサ３０あるいはトレーに置かれた時に歯科用具が持ち上げられ、さらに公知であるが、図６において示すように、ハンドピースのヘッド５の保持手段８は施術者の介在なしで係合する。
【００４０】
特に、施術者は、単にハンドルの上にヘッドを休止させることによりヘッドに用具を装架することができる。したがって、殺菌されているであろう用具に触れる必要はない。
【００４１】
歯科用医療器械１のディスペンサ３０は、本発明による用具１のための多くのハウジング３４を含み、好ましくは用具上に位置するカバー３１を含み得る。このカバー３１は、コントラアングルのヘッド５が、用具１のハンドル３に係合することを可能にするために開口３２を有する。
【００４２】
施術者は前記カバー３１を手動で回すことができ、その開口３２の位置を用具１上にすることができる。そのため、カバーの開口を用具１の各位置に位置決めするためのインデックス手段３３を備える。
【００４３】
この目的のために、一つの特別の実施例では、ディスペンサ３０中に配置された時に、カバー３１が用具１にほぼ垂直な面をなす。この面は円形で、その中心は、ディスペンサ３０の中心に位置するハウジング３６に入るようにした軸３５によって拡張される。この軸３５の自由端のすぐ近くに、用具１の各位置に関するカバー３１の開口３２を位置決めするインデックス手段３３が設けてある。このインデックス手段３３は、用具に対応する位置で形成されたスロットに係合することができる板ばねを用いることができる。板ばねは、施術者が単にカバーを回転させるだけで前記スロットから離すことができる。
【００４４】
本発明を特別の具体例に関して説明したが、説明した種々の手段の技術的に均等なものすべてを包含する。
【図面の簡単な説明】
【００４５】
【図１】本発明に係る２つの歯科用動力装置の側面図、
【図２】本発明に係る２つの歯科用動力装置の側面図、
【図３】本発明に係る歯科用具を収容するためのハンドピースのヘッドの横断面図、
【図４】本発明に係る用具を装備したハンドピースのヘッドの代替実施例を示す図３に相当する図、
【図５】図４中に記載したＶ−Ｖ線に沿う横断面図
【図６】本発明に係る歯科医療機器を複数備える得る歯内治療用ディスペンサの側面図
【図７】図６の中の矢印Ｆの方向で見た平面図
【図１】
0004497307.tif 000002
【図２】
0004497307.tif 000003
【図３】
0004497307.tif 000004
【図４】
0004497307.tif 000005
【図５】
0004497307.tif 000006
【図６】
0004497307.tif 000007
【図７】
0004497307.tif 000008